(57)【要約】【課題】シート状の被記録媒体の補充作業を容易に行うことが可能なシート収容装置及びこのシート収容装置を備えた画像記録装置を提供すること。【解決手段】給紙カセット７８は、下段にメイントレイ２０が配置され、その上部に支持ベース１１０が取り付けられている。支持ベース１１０には、排紙トレイ２３とスライドガイド３４とがスライド可能に支持されている。支持ベース１１０のアーム１１３，１１４に軸受け１３３，１３４が設けられており、メイントレイ２０の分離傾斜板２２に回動軸１３１，１３２が設けられている。上記軸受けと上記回動軸とが連結されることによって、支持ベース１１０、排紙トレイ２３及びスライドガイド３４が一体となって、メイントレイ２０の後方端部を中心にして回動可能となる。【選択図】図７
2010235311.tif 000002
【特許請求の範囲】
【請求項１】
装置本体に対して第１方向に沿って挿抜可能に構成され、上面にシート状の被記録媒体の挿入口が形成された第１トレイと、
上記第１トレイの上部に設けられ、上記挿入口を開放する第１回動位置と上記挿入口を閉塞する第２回動位置との間で回動可能なカバーと、
上記第１トレイの上部に設けられ、上記第１トレイが上記装置本体に装着された状態で画像記録済の被記録媒体を搬送するための搬送路の少なくとも一部を形成し、上記第１方向に沿って移動可能なガイド部材と、を具備し、
上記ガイド部材は、上記カバーの回動動作と一体となって回動可能に構成されているシート収容装置。
【請求項２】
上記カバー及び上記ガイド部材を支持するとともに、上記第１トレイに対して回動可能に上記第１トレイの上部で支持された支持部材を更に備える請求項１に記載のシート収容装置。
【請求項３】
上記支持部材は、上記第１トレイにおいて、上記装置本体に対する上記第１トレイの挿入向き側の先端に設けられた第１支軸、若しくは上記先端から上記装置本体に対する上記第１トレイの脱抜向き側へ所定間隔を隔てられた第２支軸に軸支されている請求項２に記載のシート収容装置。
【請求項４】
上記支持部材は、上記第１トレイの上部に設けられ、上記第１方向に沿って移動可能な第２トレイを支持している請求項２又は３に記載のシート収容装置。
【請求項５】
上記支持部材は、上段に配置された上記カバーと下段に配置された上記第２トレイとの間に上記ガイド部材を配置した状態で上記カバー、上記ガイド部材、及び上記第２トレイを支持する請求項４に記載のシート収容装置。
【請求項６】
上記カバーの上面は、画像記録済の被記録媒体を保持する保持面を兼ねる請求項１から５のいずれかに記載のシート収容装置。
【請求項７】
請求項１から６のいずれかに記載のシート収容装置を備えた画像記録装置。
【発明の詳細な説明】
【技術分野】
【０００１】
本発明は、装置本体に対して挿抜可能に支持され、被記録媒体が収容可能な第１トレイを備えたシート収容装置、及びこのシート収容装置を備えた画像記録装置に関する。
【背景技術】
【０００２】
従来、被記録媒体の両面に画像を記録することが可能な画像記録装置が公知である。例えば、特許文献１には、両面画像記録機能を備えたインクジェット記録方式の画像記録装置が開示されている。特許文献１に記載の画像記録装置では、給紙トレイから送り出された被記録媒体は湾曲状の搬送路（以下「湾曲路」という。）を通って記録部へ搬送されて、記録部において表面（第１面）に画像が記録される。記録部を通過した被記録媒体は、記録部よりも搬送方向下流側でスイッチバックされた後に、上記給紙トレイに設けられたガイド部材の上面によって案内されつつ再び上記湾曲路に搬送される。そして、被記録媒体は、この湾曲路を通って裏面（第２面）を記録部に対向させるようにして搬送され、記録部においてその裏面に画像が記録される。
【先行技術文献】
【特許文献】
【０００３】
【特許文献１】特開２００８−２４７５３７号公報
【発明の概要】
【発明が解決しようとする課題】
【０００４】
しかしながら、特許文献１に記載の画像記録装置のように、上記ガイド部材が上記給紙トレイに設けられている場合は、装置本体から取り外された給紙トレイに対して被記録媒体を補充する際に、被記録用紙の挿入口となる給紙トレイの上部開口がガイド部材によって塞がっている場合がある。この場合、ユーザは、ガイド部材を移動させて、上部開口を確保するという面倒な作業を行わなければならない。また、トレイの上部開口から給紙トレイの内部に塵埃が侵入することを防止するためのカバーが給紙トレイに設けられている場合は、上記ガイド部材だけでなくカバーを移動させなければならない。すなわち、ガイド部材及びカバーの双方が給紙トレイに設けられている場合は、給紙トレイへの被記録媒体の補充作業が極めて煩雑である。
【０００５】
そこで、本発明は上記問題に鑑みてなされたものであり、その目的は、シート状の被記録媒体の補充作業を容易に行うことが可能なシート収容装置及びこのシート収容装置を備えた画像記録装置を提供することにある。
【課題を解決するための手段】
【０００６】
(1)  本発明は、装置本体に対して第１方向に沿って挿抜可能に構成され、上面にシート状の被記録媒体の挿入口が形成された第１トレイと、上記第１トレイの上部に設けられ、上記挿入口を開放する第１回動位置と上記挿入口を閉塞する第２回動位置との間で回動可能なカバーと、上記第１トレイの上部に設けられ、上記第１トレイが上記装置本体に装着された状態で画像記録済の被記録媒体を搬送するための搬送路の少なくとも一部を形成し、上記第１方向に沿って移動可能なガイド部材と、を具備するシート収容装置として構成されている。上記ガイド部材は、上記カバーの回動動作と一体となって回動可能に構成されている。
【０００７】
この構成では、装置本体から第１トレイが抜き出された状態で、カバーを第２回動位置から第１回動位置へ回動されると、その回動動作にともなってガイド部材も同じように回動する。これにより、カバー及びガイド部材それぞれを個別に移動させることなく、カバーを回動させるという１回の作業で第１トレイの挿入口を開放させることができる。その結果、ユーザは、第１トレイに被記録媒体を容易に補充することが可能となる。
【０００８】
(2)  本発明のシート収容装置は、上記カバー及び上記ガイド部材を支持するとともに、上記第１トレイに対して回動可能に上記第１トレイの上部で支持された支持部材を更に備えることが好ましい。
【０００９】
(3)  上記支持部材は、上記第１トレイにおいて、上記装置本体に対する上記第１トレイの挿入向き側の先端に設けられた第１支軸、若しくは上記先端から上記装置本体に対する上記第１トレイの脱抜向き側へ所定間隔を隔てられた第２支軸に軸支されていることが好ましい。
【００１０】
例えば、支持部材が上記第１支軸で回動可能に支持された構成では、支持部材を第１支軸を中心に回動させることにより、第１トレイの上面の全域が開放される。そのため、ユーザは、第１トレイに被記録媒体を挿入し易い。また、支持部材が上記第２支軸で回動可能に支持された構成では、先端側の第１支軸で支持される構成に比べて、支持部材の回動半径が小さいため、回動時の負荷が軽くなり、ユーザは操作し易くなる。また、支持部材の回動スペースも小さくて済む。
【００１１】
(4)  上記支持部材は、上記第１トレイの上部に設けられ、上記第１方向に沿って移動可能な第２トレイを支持するものであってもよい。
【００１２】
これにより、シート収容装置にサイズや材質などが異なる２種類の被記録媒体を収容可能となる。
【００１３】
(5)  上記支持部材は、上段に配置された上記カバーと下段に配置された上記第２トレイとの間に上記ガイド部材を配置した状態で上記カバー、上記ガイド部材、及び上記第２トレイを支持するものが好ましい。
【００１４】
このような順で上下方向に層状に並べられた状態で各部材が支持されることによって、各部材間において他方の部材の機能が制約されることなく、最適な支持構造が実現される。
【００１５】
(6)  上記カバーの上面は、画像記録済の被記録媒体を保持する保持面を兼ねていることが好ましい。
【００１６】
(7)  なお、本発明は、上述のシート収容装置を備えた画像記録装置と捉えることもできる。
【発明の効果】
【００１７】
本発明によれば、第１トレイへのゴミや埃等の侵入が防止され、且つ、第１トレイへの被記録媒体の補充が容易となる。
【図面の簡単な説明】
【００１８】
【図１】図１は、本発明の第１実施形態の一例である複合機１０の外観斜視図である。
【図２】図２は、プリンタ部１１の内部構造を模式的に示す縦断面図である。
【図３】図３は、排紙路６５Ｂ付近の構成を示す部分拡大断面図である。
【図４】図４は、給紙カセット７８の構成を示す斜視図である。
【図５】図５は、メイントレイ２０の構成を示す斜視図である。
【図６】図６は、支持ベース１１０、スライドガイド３４、及び排紙トレイ２３の構成を示す斜視図である。
【図７】図７は、支持ベース１１０の回動姿勢に応じた給紙カセット７８の模式断面図であり、（Ａ）にはメイントレイ２０の上面が閉塞された状態が示されており、（Ｂ）にはメイントレイ２０の上面が開放された状態が示されている。
【図８】図８は、支持ベース１１０にセカンドトレイ２１が支持された給紙カセット７８の模式断面図である。
【図９】図９は、本発明の変形例の給紙カセット７８の構成を示す模式断面図であり、（Ａ）にはメイントレイ２０の上面が閉塞された状態が示されており、（Ｂ）にはメイントレイ２０の上面が開放された状態が示されている。
【発明を実施するための形態】
【００１９】
以下、適宜図面を参照して、本発明の好ましい実施形態について説明する。なお、以下に説明される実施形態は本発明の一例にすぎず、本発明の要旨を変更しない範囲で、本発明の実施形態を適宜変更できることは言うまでもない。
【００２０】
［複合機１０の概略］
図１は、本発明の第１実施形態である複合機１０の外観斜視図である。なお、以下の説明においては、複合機１０が使用可能に設置された状態（図１の状態）を基準として上下方向７を定義し、開口１３が設けられている側を手前側（正面）として前後方向８を定義し、複合機１０を手前側（正面）から見て左右方向９を定義する。
【００２１】
複合機１０は、高さ（上下方向７の長さ）に対して横幅（左右方向９の長さ）及び奥行き（前後方向８の長さ）が大きい薄型の直方体に概ね形成されている。複合機１０は、主に、下部に設けられたインクジェット記録方式のプリンタ部１１と、上部に設けられたスキャナ部１２とを一体的に備えた多機能装置である。複合機１０は、ファクシミリ機能、プリンタ機能、スキャナ機能、及び、コピー機能などの各種の機能を有している。プリンタ機能としては、記録用紙の表面（第１面）及び裏面（第２面）の両面に画像を記録する両面画像記録機能を有している。なお、プリンタ機能以外の機能は任意であり、例えば、スキャン機能やコピー機能、ファクシミリ機能を有しないプリンタ機能のみを有するプリンタとして本発明の画像記録装置が実施されてもよい。
【００２２】
プリンタ部１１は、正面に開口１３が形成されたケーシング（筐体）１４（本発明の装置本体の一例）を有する。ケーシング１４内にプリンタ部１１の各構成要素が配置されている。開口１３からケーシング１４の内部側へ連続するように収容室１６が区画されている。この収容室１６に給紙カセット７８が装着されている。この給紙カセット７８は、開口１３からケーシング１４内に前後方向８に挿抜可能に構成されている。給紙カセット７８は、各種サイズの記録用紙（本発明のシート状の被記録媒体の一例）を収容可能なメイントレイ２０（本発明の第１トレイの一例）と、排紙トレイ２３（本発明のカバーの一例）と、スライドガイド３４（本発明のガイド部材の一例）とを有する。なお、給紙カセット７８の構成については後段で詳述する。
【００２３】
［プリンタ部１１の構成］
次に、図２を参照しながら、プリンタ部１１の構成について説明する。図２は、プリンタ部１１の内部構造を示す縦断面図である。なお、図２では、給紙カセット７８の前方側（紙面右側）の図示が省略されている。
【００２４】
プリンタ部１１は、上述した給紙カセット７８に加えて、給紙カセット７８から記録用紙をピックアップして給紙（給送）する給送部１５と、給送部１５によって給紙された記録用紙にインク滴を吐出して記録用紙に画像を形成するインクジェット記録方式の記録部２４と、経路切換部４１とを備えている。これらがケーシング１４内に設けられている。なお、記録部２４は、インクジェット方式に限られず、電子写真方式、或いは感熱記録方式など、種々の記録方式のものが適用可能である。
【００２５】
［搬送路６５］
プリンタ部１１の内部には、メイントレイ２０の先端（後方側の端部）から記録部２４を経て排紙トレイ２３に至る搬送路６５が形成されている。搬送路６５は、メイントレイ２０の先端から記録部２４に至る間に形成された湾曲路６５Ａと、記録部２４から排紙トレイ２３に至る間に形成された排紙路６５Ｂとに区分される。
【００２６】
図２に示されるように、湾曲路６５Ａは、メイントレイ２０に設けられた分離傾斜板２２の上端付近から記録部２４に渡って延設された湾曲状の通路である。この湾曲路６５Ａは、所定間隔を隔てて互いに対向する外側ガイド部材１８及び内側ガイド部材１９によって区画されている。外側ガイド部材１８は、プリンタ部１１の内部側を中心とする円弧形状に概ね形成されたガイド面１８Ａを有しており、内側ガイド部材１９は、同様に、プリンタ部１１の内部側を中心とする円弧形状に概ね形成されたガイド面１９Ａを有している。これらのガイド面１８Ａ，１９Ａによって区画された空間が湾曲路６５Ａである。なお、外側ガイド部材１８及び内側ガイド部材１９、更に、後述する上側ガイド部材８２、下側ガイド部材８３、上側傾斜ガイド部材３２、下側傾斜ガイド部材３３は、いずれも、図２の紙面垂直方向（図１の左右方向９）へ延びている。
【００２７】
排紙路６５Ｂは、記録部２４よりも搬送方向の下流側（以下、単に「下流側」と略称する。）に設けられた下側ガイド部材８２と上側ガイド部材８３とによって区画されている。ここで、搬送方向とは、記録用紙が搬送路６５及び後述する反転搬送路６７を搬送される向き（図２において矢印付きの二点鎖線で示される向き）を指す。
【００２８】
図３は、排紙路６５Ｂ付近の構成を示す部分拡大断面図である。図３に示されるように、下側ガイド部材８２は、後述する第２搬送ローラ６２及び拍車ローラ６３のニップ位置から前方側（図３の紙面右側）へ水平に延出されている。排紙路６５Ｂは、第２搬送ローラ６２によって搬送された画像記録済の記録用紙の下面を支持しつつ、下流側へ案内する。下側ガイド部材８２の下流側端部よりも下流側に分岐口３６が形成されている。両面画像記録の際は、排紙路６５Ｂを搬送された記録用紙は、分岐口３６の下流側でスイッチバックされた後に、分岐口３６から下方へ向けて搬送される。
【００２９】
下側ガイド部材８２には、前後方向８に長い細幅の凹部８５が形成されている。この凹部８５は、下側ガイド部材８２の下流側端部に形成されている。凹部８５は、前後方向８に長い細幅形状に形成されおり、その下流側は分岐口３６に開放されている。凹部８５のサイズ及び位置は、後述する補助ローラ４７が凹部８５の内部に没入可能に設計されている。
【００３０】
上側ガイド部材８３は、下側ガイド部材８２よりも上方に配置されている。上側ガイド部材８３と下側ガイド部材８２とは、記録用紙が通過可能な所定間隔を隔てて互いに対向するように配置されている。上側ガイド部材８３は、分岐口３６を超えて、排紙トレイ２３の上方まで延出されている。
【００３１】
［反転搬送路６７］
図２に示されるように、プリンタ部１１の内部には、反転搬送路６７が形成されている。反転搬送路６７は、分岐口３６で排紙路６５Ｂから分岐され、給紙カセット７８とその上方に配置された記録部２４との間を通って、記録部２４よりも搬送方向の上流側（以下、単に「上流側」と略称する。）の合流部に接続されている。なお、合流部は、湾曲路６５Ａの始端（上流側の端部）と反転搬送路６７の終端（下流側の端部）とが合流する部分である。
【００３２】
反転搬送路６７は、分岐口３６から後方斜め下向きに傾斜する傾斜面を有する上側傾斜ガイド部材３２と、下側傾斜ガイド部材３３とによって区画されている。本実施形態では、上側傾斜ガイド部材３２と下側傾斜ガイド部材３３とによって、反転搬送路６７の一部、詳細には、分岐口３６側の傾斜路６７Ａが区画されている。上側傾斜ガイド部材３２と下側ガイド部材８２とは、一体に形成されている。これらのガイド部材３２，３３は、記録用紙が通過可能な所定間隔を隔てて互いに対向するように配置されている。上側傾斜ガイド部材３２は，下側傾斜ガイド部材３３よりも上方に配置されている。これらのガイド部材３２，３３は、分岐口３６から下方へ延出されており、より詳細には、後方斜め下向きへ延出されている。
【００３３】
また、反転搬送路６７は、給紙カセット７８に設けられた後述のスライドガイド３４によっても区画される。図２において破線で示される案内位置に配置されたスライドガイド３４の上面によって、反転搬送路６７の一部、詳細には、湾曲路６５Ａ側の直線状の直線路６７Ｂが区画されている。スライドガイド３４は、メイントレイ２０の上方で前後方向８へスライド可能に支持されている。スライドガイド３４については後述する。
【００３４】
このように搬送路６５及び反転搬送路６７が形成されているため、給送部１５によってメイントレイ２０から給紙された記録用紙は、湾曲路６５Ａを通って、記録部２４へ搬送される。この搬送過程において、記録用紙は、外側ガイド部材１８及び内側ガイド部材１９によって、給送部１５の給紙ローラ２５が当接した面とは反対の面が記録部２４と対向するように反転される。記録部２４を通過した記録用紙は、排紙路６５Ｂを通って排紙トレイ２３へ搬送されるか、或いは、経路切換部４１により搬送経路が切り換えられて、反転搬送路６７を通って再び記録部２４へ搬送される。なお、経路切換部４１については後述する。
【００３５】
［記録部２４］
図２に示されるように、記録部２４は、給紙カセット７８の上方に配置されている。記録部２４は、図２の紙面垂直方向（主走査方向）に延出されたガイドレール（不図示）に沿って往復動するように構成されている。記録部２４の下方にプラテン４２が設けられている。プラテン４２は、記録部２４によって画像記録が行われる際に、記録用紙を水平に支持するものである。記録部２４は、主走査方向への往復移動過程において、図示しないインクカートリッジから供給されたインクをノズル３９から微小なインク滴としてプラテン４２上を搬送される記録用紙に吐出する。これにより、記録用紙に画像が記録される。
【００３６】
湾曲路６５Ａの終端と記録部２４との間、つまり、湾曲路６５Ａにおける下流側の端部と記録部２４との間には、第１搬送ローラ６０及びピンチローラ６１が設けられている。これらは対をなしている。ピンチローラ６１は、第１搬送ローラ６０の下方に配置されており、図示しないバネなどの弾性部材によって第１搬送ローラ６０のローラ面に圧接されている。第１搬送ローラ６０及びピンチローラ６１は、湾曲路６５Ａを搬送してきた記録用紙を狭持してプラテン４２上へ送る。
【００３７】
また、記録部２４と排紙路６５Ｂの始端との間、つまり、記録部２４と排紙路６５Ｂにおける上流側の端部との間には、第２搬送ローラ６２及び拍車ローラ６３が設けられている。これらは対をなしている。拍車ローラ６３は、第２搬送ローラ６２の上方に配置されており、自重若しくはバネなどによって第２搬送ローラ６２のローラ面に圧接されている。第２搬送ローラ６２及び拍車ローラ６３は、記録済みの記録用紙を狭持してさらに下流側（排紙トレイ２３側）へ搬送する。
【００３８】
第１搬送ローラ６０及び第２搬送ローラ６２は、搬送用モータ（不図示）から駆動伝達機構（不図示）を介して回転駆動力が伝達されて回転される。第１搬送ローラ６０及び第２搬送ローラ６２は、画像記録時に間欠駆動される。そのため、記録用紙は、所定の改行幅で送られながら画像記録がなされる。本実施形態では、後述する第３搬送ローラ４５を正回転方向又は逆回転方向へ回転させる回転駆動力も上記搬送用モータから供給される。そのため、第１搬送ローラ６０及び第２搬送ローラ６２への駆動伝達機構の一例として、遊星ギヤなどを有し、上記搬送用モータが正回転方向又は逆回転方向のいずれに回転されても、記録用紙を一方向（図２の右側）へ搬送させるべく、第１搬送ローラ６０及び第２搬送ローラ６２を一回転方向へ回転させる機構が考えられる。なお、第１搬送ローラ６０及び第２搬送ローラ６２の駆動源と第３搬送ローラ４５の駆動源とが別々に設けられている場合は、上記駆動伝達機構は、上記遊星ギヤを含む構成に限られない。
【００３９】
［給送部１５］
給送部１５は、記録部２４と給紙カセット７８との間に設けられている。給送部１５は、給紙カセット７８に収容された記録用紙を湾曲路６５Ａへ向けて搬送するためのものであり、給紙ローラ２５と、給紙アーム２６と、駆動伝達機構２７とを備えている。給紙ローラ２５は、給紙カセット７８のメイントレイ２０に収容された記録用紙をピックアップして湾曲路６５Ａへ給紙するものであり、給紙アーム２６の先端に回転自在に軸支されている。給紙ローラ２５は、駆動源の一例である給紙用モータ（不図示）の回転力が駆動伝達機構２７を介して伝達されると回転駆動される。なお、駆動伝達機構２７は、給紙アーム２６に軸支されており、概ね給紙アーム２６の延出方向に沿って直線状に並ぶ複数のギヤで構成されている。
【００４０】
記録部２４と給紙カセット７８との間に基軸２８が設けられている。給紙アーム２６は、その基端部が基軸２８に支持されており、基軸２８を回動中心軸として回転可能に構成されている。このため、給紙アーム２６は、メイントレイ２０に対して接離可能に上下動することができる。また、給紙アーム２６は、自重により又はバネ等の弾性部材による弾性力により、図２の矢印２９の方向へ回動付勢されている。このため、給送ローラ２５は、例えばメイントレイ２０に収容された記録用紙の上面に圧接可能である。また、スライドガイド３４が案内位置に配置されているときは、給送ローラ２５は、スライドガイド３４に載置された記録用紙の上面に圧接可能である。給紙アーム２６は、給紙カセット７８がプリンタ部１１に対して挿入される際に、給紙カセット７８の後端部（例えば、分離傾斜板２２）に押圧されることによって、上方へ押し上げられるように構成されている。
【００４１】
［経路切換部４１］
図３を参照しながら、経路切換部４１について説明する。経路切換部４１は、排紙路６５Ｂにおける分岐口３６、すなわち排紙路６５Ｂと反転搬送路６７との接続部分付近に配置されている。経路切換部４１は、図３に示されるように、第３搬送ローラ４５と、拍車ローラ４６と、補助ローラ４７及び補助ローラ４８を有するフラップ４９とにより構成されている。
【００４２】
第３搬送ローラ４５は、記録部２４よりも下流側であって、下側ガイド部材８２よりも更に下流側に設けられている。第３搬送ローラ４５は、左右方向８に延びる支軸４４に固定されている。第３搬送ローラ４５と下側ガイド部材８２との間に分岐口３６が形成されている。第３搬送ローラ４５は、プリンタ部１１のフレームなどに回転可能に支持されている。拍車ローラ４６は、第３搬送ローラ４５の上方に配置されており、自重若しくはバネなどによって第３搬送ローラ４５のローラ面に圧接されている。この拍車ローラ４６は、上側ガイド部材８３の下流側端部に回転可能の支持されている。第３搬送ローラ４５は、搬送用モータ（不図示）から正逆回転方向の駆動力が伝達されて、正回転方向又は逆回転方向に回転駆動される。例えば、片面記録が行われる場合は、第３搬送ローラ４５は正回転方向へ回転される。これにより、記録用紙は第３搬送ローラ４５及び拍車ローラ４６に挟持されて下流側へ搬送され、排紙トレイ２３に排紙される。一方、両面記録が行われる場合は、第３搬送ローラ４５及び拍車ローラ４６が記録用紙の後端部を挟持した状態で、第３搬送ローラ４５の回転方向が正回転方向から逆回転方向へ切り換えられる。
【００４３】
第３搬送ローラ４５及び拍車ローラ４６は、第２搬送ローラ６２及び拍車ローラ６３から送られた記録用紙を狭持するものである。第３搬送ローラ４５及び拍車ローラ４６のニップ部に記録用紙が進入すると、記録用紙は第３搬送ローラ４５及び拍車ローラ４６によって挟持されつつ、第３搬送ローラ４５の回転方向に対応する方向（排紙トレイ２３側、又は、反転搬送路６７側）へ搬送される。つまり、第３搬送ローラ４５及び拍車ローラ４６は、記録用紙を排紙路６５Ｂに沿ってさらに下流側（排紙トレイ２３側）へ搬送可能であるとともに、記録用紙を反転搬送路６７へ搬送可能である。
【００４４】
上側ガイド部材８３に、図３の紙面垂直方向（図１の左右方向９）へ延びる支軸８７が設けられている。支軸８７は、分岐口３６よりも上流側に設けられている。フラップ４９は、支軸８７から概ね下流側へ延出されている。フラップ４９における延出端部４９Ｂは、分岐口３６の上方、詳細には、分岐口３６の中央部３６Ａを超えて第３搬送ローラ４５に近接した位置に達している。このフラップ４９は、支軸８７に軸支されている。具体的には、フラップ４９における上流側の基端部４９Ａが支軸８７に回動可能に支持されている。支軸８７は、例えば、上側ガイド部材８３、或いはプリンタ部１１のフレームなどに設けることが可能である。なお、フラップ４９の基端部４９Ａを例えばＬ字状に屈曲させ、更に支軸８７を下側ガイド部材８３に設けることにより、基端部４９Ａを下側ガイド部材８３側で回動可能に支持する構成としてもよい。
【００４５】
フラップ４９の基端部４９Ａ側には、その延出方向に隔てられた補助ローラ４７及び補助ローラ４８が軸支されている。補助ローラ４７は、フラップ４９の基端部４９Ａ側に軸支されている。補助ローラ４８は、フラップ４９の延出端部４９Ｂに軸支されている。これらの補助ローラ４７，４８のローラ面は、記録用紙の記録面に当接されるので、拍車ローラ６３及び拍車ローラ４６と同様に拍車状に形成されている。
【００４６】
フラップ４９は、下側ガイド部材８２よりも上方に位置する排出姿勢（図３（Ｂ）に示される姿勢）と、延出端部４９Ｂが分岐口３６よりも下方へ進入する反転姿勢（図３（Ａ）に示される姿勢）との間で回動する。なお、本実施形態では、上側ガイド部材８３には、フラップ４９が没入可能な開口８９が形成されており、フラップ４９は、上記排出姿勢にあるときに開口８９に没入して、排紙路６５Ｂから退避する。また、上記反転姿勢にあるときは、フラップ４９は開口８９から露出されて、補助ローラ４８が下側傾斜ガイド部材３３に当接する。また、補助ローラ４７が下側ガイド部材８２の凹部８５に没入されることにより、補助ローラ４７が下側ガイド部材８２の支持面８２Ｂよりも下方に退避する。
【００４７】
［給紙カセット７８］
次に、図４から図７を参照して、給紙カセット７８について詳細に説明する。給紙カセット７８は、給送部１５の下方に設けられている。給紙カセット７８のメイントレイ２０は、プリンタ部１１の底側に配置されている。メイントレイ２０は、Ｌｅｔｔｅｒサイズ（２１６ｍｍ×２７４ｍｍ）、リーガルサイズ（２１６ｍｍ×３５６ｍｍ）、Ａ４サイズ（２１０ｍｍ×２９７ｍｍ）、及びこれらのサイズよりも小さいサイズの記録用紙を収容可能である。本実施形態の複合機１０では、主として、Ａ４サイズ、Ｂ５サイズなどの記録用紙がメイントレイ２０に収容される。
【００４８】
［メイントレイ］
図５に示されるように、メイントレイ２０は、記録用紙が載置される底板５４と、底板５４の左右方向９の両端部から立設された側板５５，５６と、底板５４の後方側の端部に立設された分離傾斜板２２とを有している。このメイントレイ２０は、上面が開放された概ね矩形箱状に構成されている。分離傾斜板２２は、記録用紙を円滑に給紙可能なように後方側へ傾倒している。分離傾斜板２２の内面２２Ａには図示しない複数の歯が突出している。そのため、仮に複数の記録用紙が重なった状態で給紙されても、分離傾斜板２２の内面２２Ａに記録用紙の先端が当接したときに上記歯によって最上位の記録用紙だけが分離されて湾曲路６５Ａへ給紙される。
【００４９】
図５に示されるように、分離傾斜板２２の左右方向９の両端部には、回動軸１３１，１３２（本発明の第１支軸の一例）が設けられている。回動軸１３１は、分離傾斜板２２の左端部から左側外方へ突出しており、回動軸１３２は、分離傾斜板２２の右端部から右側外方へ突出している。これら回動軸１３１，１３２によって、支持ベース１１０がメイントレイ２０に対して回動可能となる。
【００５０】
側板５５，５６それぞれの内側には、底板５４から起立された板状のリブ５２，５３が設けられている。リブ５２，５３は、メイントレイ２０の後方側に設けられている。リブ５２，５３は、側板５５，５６に沿って平行に設けられている。これらのリブ５２，５３に後述する支持ベース１１０（本発明の支持部材の一例）の支持溝１１６，１１７が挿入可能となっている。
【００５１】
［支持ベース１１０］
図４に示されるように、メイントレイ２０の上部に支持ベース１１０が取り付けられている。この支持ベース１１０に排紙トレイ２３及びスライドガイド３４が前後方向８へスライド可能に支持されている。
【００５２】
図６に示されるように、支持ベース１１０は、排紙トレイ２３が支持されるベース本体１１２と、支持ベース１１０をメイントレイ２０の上部に位置決めするためのアーム１１３，１１４とを有する。ベース本体１１２は、メイントレイ２０の左右方向９の寸法とほぼ同じ寸法を有する板状の部材である。
【００５３】
ベース本体１１２には、一対のアーム１１３，１１４が設けられている。アーム１１３，１１４は、ベース本体１１２の左右方向９の両端部から後方へ突出している。アーム１１３，１１４それぞれの裏面には、前後方向８に延びる支持溝（不図示）が形成されている。支持ベース１１０がメイントレイ２０の上部に配置されると、上記支持溝にメイントレイ２０のリブ５２，５３が挿入される。これにより、メイントレイ２０の上部に支持ベース１１０が取り付けられて、位置決めされる。
【００５４】
また、図６に示されるように、アーム１１３，１１４の後方端部に軸受け１３３，１３４が設けられている。軸受け１３３は、アーム１１３の裏面側が開放された逆Ｕ字状の溝である。また、軸受け１３４は、アーム１１４の裏面側が開放された逆Ｕ字状の溝である。メイントレイ２０の上部に支持ベース１１０が取り付けられたときに、これらの軸受け１３３，１３４に上述した回動軸１３１，１３２が挿入される。これにより、支持ベース１１０が回動軸１３１，１３２を中心にして回動可能となる。言い換えると、回動軸１３１，１３２及び軸受け１３３，１３４によって、支持ベース１１０がメイントレイ２０の後方側端部（本発明の挿入向きの先端部に相当）を中心に回動可能に支持される。本実施形態では、図７に示されるように、メイントレイ２０の上面が開放された第１回動位置（図７（Ｂ）参照）と、メイントレイ２０の上面が閉塞された第２回動位置（図７（Ａ）参照）との間で回動可能である。
【００５５】
アーム１１３，１１４には、その左右方向９の内側面から左右方向９の内側へ突出した支持プレート１２５，１２６が設けられている。支持プレート１２５，１２６は、ベース本体１１２と平行なように、アーム１１３，１１４に一体に形成されている。支持プレート１２５，１２６は、ベース本体１１２よりも下方へオフセットされた位置に配置されている。つまり、支持プレート１２５，１２６とベース本体１１２との間には隙間が形成されている。支持プレート１２５，１２６は、ベース本体１１２の裏側を通ってベース本体１１２の前方端まで延びている。この支持プレート１２５，１２６の上面１２５Ａ，１２６Ａに、スライドガイド３４の左右方向９の両方の端部１３５，１３６が載置されるように支持される。これにより、スライドガイド３４が、ベース本体１１２の裏側に収容された収容位置（図６参照）と、ベース本体１１２から後方へ露出されてスライドガイド３４上に案内された記録用紙を湾曲路６５Ａへ給紙可能な案内位置（図２において破線で示される位置）との間でスライドガイド３４が移動可能となる。なお、上記案内位置は、スライドガイド３４の後方側の端部３４Ａが分離傾斜板２２に近接する位置である。また、上記収容位置は、給紙ローラ２５をメイントレイ２０側へ降下させることが可能な距離だけ、スライドガイド３４の後方側の端部３４Ａが分離傾斜板２２から前方側へ離間する位置である。
【００５６】
［排紙トレイ２３］
排紙トレイ２３は、記録部２４から排出された画像記録済みの記録用紙を保持する役割と、メイントレイ２０の上面の前方側の開口１４１（図７参照）を覆い隠して開口１４１のカバーとして機能する役割とを有する。排紙トレイ２３は、ベース本体１１２やメイントレイ２０の左右方向９の寸法よりも若干大きく形成されている。排紙トレイ２３の上面に記録用紙が保持される。排紙トレイ２３には、拡張トレイ１４９が設けられている。拡張トレイ１４９は、排紙トレイ２３の裏面側で前後方向８へスライド可能に支持されており、裏面側に収容された状態から前方へ引き出されることによって外部に露出される。これにより、排紙トレイ２３の上面が拡大される。
【００５７】
排紙トレイ２３は、ベース本体１１２の上面１１２Ａに沿って前後方向８へスライド可能に支持されている。詳細には、前後方向８に延びる複数のレール１１９が上面１１２Ａに形成され、排紙トレイ２３にはレール１１９が挿通される複数の溝１２３が形成されており、上面１１２Ａに排紙トレイ２３が配置された状態でレール１１９に溝１２３が挿通されることで、排紙トレイ２３がベース本体１１２によってスライド可能に支持される。本実施形態では、排紙トレイ２３は、ベース本体１１２から前方へ延びてメイントレイ２０の前方側の開口１４１（図７（Ａ）参照）を覆い隠す閉塞位置と、ベース本体１１２の上面１１２Ａを後方へ移動して開口１４１を開放する開放位置（図７（Ａ）において破線で示される位置）との間で移動可能である。排紙トレイ２３が上記閉塞位置に配置された状態で、開口１４１が覆われることにより、開口１４１からメイントレイ２０へのゴミや埃の侵入が防止される。
【００５８】
［スライドガイド３４］
スライドガイド３４は、メイントレイ２０の左右方向９の寸法とほぼ同じ寸法を有する板状の部材である。したがって、スライドガイド３４の上面には、メイントレイ２０に収容された記録用紙と同サイズの記録用紙が支持され得る。なお、スライドガイド３４は、複数の記録用紙を収容する必要がないため、その上面は平坦に形成されている。
【００５９】
スライドガイド３４は、メイントレイ２０の上部で前後方向８にスライド可能に支持されている。このスライドガイド３４は、支持ベース１１０に支持されている。具体的には、ベース本体１１２の裏側に収容される収容位置（図６参照）と、ベース本体１１２から後方へ露出されて反転搬送路６７を搬送されてきた画像記録済の記録用紙を湾曲路６５Ａへ再び給紙可能な案内位置（図２において破線で示される位置）との間でスライドガイド３４は移動可能である。本実施形態では、図示しない搬送用モータから駆動伝達機構を介して駆動力がスライドガイド３４に伝達される。これにより、スライドガイド３４が前後方向８へスライド移動する。例えば、反転搬送路６７へ記録用紙が搬送される際には、収容位置にあるスライドガイド３４に後方への駆動力が伝達されて、案内位置まで移動される。そして、反転搬送路６７から湾曲路６５Ａへ記録用紙が案内されると、前方への駆動力が伝達されて、収容位置まで移動される。
【００６０】
スライドガイド３４が上記収容位置（図６参照）に配置された状態では、図４及び図７に示されるように、メイントレイ２０の後方側の上面が開けられて開口１４２が現れる。このとき、給送ローラ２５がスライドガイド３４で支持されなくなり、上記開口１４２からメイントレイ２０側へ下降して、メイントレイ２０に収容された記録用紙に当接する（図２参照）。この状態で、給送ローラ２５が回転されると、メイントレイ２０に収容された記録用紙が湾曲路６５Ａへ向けて給紙される。
【００６１】
一方、スライドガイド３４が上記収容位置から上記案内位置（図２において破線で示される位置）へスライドされると、スライドガイド３４の後方側の端部３４Ａが給紙アーム２６に接触して、給紙アーム２６を上方へ押し上げる。これにより、給送ローラ２５が、スライドガイド３４上に配置される（図２の破線参照）。給送ローラ２５がスライドガイド３４上に配置されると、給送ローラ２５は反転搬送路６７を通ってスライドガイド３４の上面に案内された記録用紙の上面に当接する。この状態で、給送ローラ２５が回転されると、スライドガイド３４の上面で支持された記録用紙が湾曲路６５Ａへ向けて給紙される。
【００６２】
［実施形態の作用・効果］
上述したように、本実施形態では、回動軸１３１，１３２及び軸受け１３３，１３４によって、支持ベース１１０がメイントレイ２０の後方側端部を中心に回動可能に支持されている。そのため、支持ベース１１０だけでなく、支持ベースに支持されたスライドガイド３４及び排紙トレイ２１も支持ベース１１０と一体となって、回動軸１３１，１３２を中心に回動可能である。このように構成されているため、装置本体から給紙カセット７８が抜き出された状態の給紙カセット７８に対して、ユーザは、排紙トレイ２３の前方端を掴んで持ち上げることにより、支持ベース１１０及びスライドガイド３４が第１回動位置へ向けて持ち上げられる。これにより、排紙トレイ２３及びスライドガイド３４のそれぞれを個別に移動させることなく、排紙トレイ２３を持ち上げて回動させるという１回の動作でメイントレイ２０の前方側の上面を開放させることができる。このため、ユーザは、メイントレイ２０に記録用紙を容易に補充することができる。
【００６３】
また、上述の構成では、メイントレイ２０の上面の全域が開放されるため、ユーザは、メイントレイ２０の内部にアクセスし易くなるため、束状になった多数の記録用紙を容易に補充することができる。
【００６４】
なお、図８に示されるように、スライドガイド３４の下方にセカンドトレイ２１（本発明の第２トレイの一例）が設けられた構成が採用されてもよい。セカンドトレイ２１は、スライドガイド３４と同様に、支持ベース１１０にスライド可能に支持されている。セカンドトレイ２１には、主として、葉書サイズ、写真Ｌ版サイズの記録用紙（葉書、光沢紙など）が収容される。なお、セカンドトレイ２１の凹部１２８は、葉書サイズ以上の記録用紙、例えばメイントレイ２０と同様にＡ４サイズの記録用紙等を収容可能なものであってもよい。セカンドトレイ２１には、図示しない搬送用モータから駆動伝達機構を介して駆動力がセカンドトレイ２１に伝達される。これにより、セカンドトレイ２１が前後方向８へスライド移動する。例えば、セカンドトレイ２１から記録用紙を給紙するコマンドが入力された場合に、セカンドトレイ２１に後方への駆動力が伝達されて、セカンドトレイ２１から記録用紙が給紙可能な位置まで移動される。この移動過程において、セカンドトレイ２１の後方側の端部が給紙アーム２６に接触して、給紙アーム２６を上方へ押し上げる。これにより、給送ローラ２５が、セカンドトレイ２１に配置される。このような構成であっても、ユーザは、排紙トレイ２３の前方端を掴んで持ち上げることにより、支持ベース１１０、スライドガイド３４、及びセカンドトレイ２１が第１回動位置へ向けて持ち上げられる。このため、ユーザは、排紙トレイ２３を持ち上げて回動させるという１回の動作でメイントレイ２０の前方側の上面を開放させることができるので、メイントレイ２０に記録用紙を容易に補充することができる。
【００６５】
［変形例］
以下、図９を参照して、上述の実施形態の変形例について説明する。図９は、本発明の変形例の構成を示す模式断面図である。なお、上述の実施形態の各構成と共通する構成については、上述の実施形態で使用した符号と同じ番号の符号を付すことにより、その説明を省略する。
【００６６】
上述の実施形態では、分離傾斜板２２の両端に回動軸１３１，１３２を設け、これら回動軸１３１，１３２にアーム１１３，１１４の軸受け１３３，１３４を軸支させる構成とした。この変形例では、回動軸１３１，１３２に代えて、メイントレイの側板５５，５６に回動軸１４６（本発明の第２支軸の一例）が設けられている。なお、図９では、右側に設けられた回動軸１４６だけが図示されており、左側の回動軸は図示されていない。回動軸１４６は、メイントレイ２０の先端にある分離傾斜板２２から前方側へ所定間隔を隔てられた位置に設けられている。詳細には、側板５６において前後方向８の中央部から若干後方寄りに設けられている。なお、回動軸１４６と分離傾斜板２２との間に設けられた上記所定間隔は、メイントレイ２０の前後方向８の長さに加えて、支持ベース１１０、スライドガイド３４、排紙トレイ２３等の前後方向８の長さ等に応じて設定される設計要素である。また、アーム１１３，１１４は、回動軸１４６の位置に応じた長さに変更される。具体的には、傾斜分離板２２から回動軸１４６までの距離だけアーム１１３，１１４の長さが短くされている。この変形例では、メイントレイ２０の回動軸１４６を中心にして支持ベース１１０が回動可能となる。このように構成されているため、回動軸１３１，１３２で軸支される場合に比べて、支持ベース１１０の回動半径が小さくなるので、支持ベース１１０を上方へ持ち上げる際の力が小さくて済む。また、上方へ回動された支持ベース１１０等のスペースが小さくて済むため、ユーザは、上方の空間が狭い場所であっても、記録用紙の補充作業を容易に行うことができる。
【符号の説明】
【００６７】
１０・・・複合機
１１・・・プリンタ部
２０・・・メイントレイ
２１・・・セカンドトレイ
２３・・・排紙トレイ
２４・・・記録部
３４・・・スライドガイド
６５・・・搬送路
６７・・・反転搬送路
７８・・・給紙カセット
１１０・・・支持ベース
１３１，１３２・・・回動軸
１３３，１３４・・・軸受け
【図１】
2010235311.tif 000003
【図２】
2010235311.tif 000004
【図３】
2010235311.tif 000005
【図４】
2010235311.tif 000006
【図５】
2010235311.tif 000007
【図６】
2010235311.tif 000008
【図７】
2010235311.tif 000009
【図８】
2010235311.tif 000010
【図９】
2010235311.tif 000011